(57)【要約】【課題】物品収納時に特に注意しなくとも、自動的に収納空間の奥の方に滑り込み、開口に不揃いによる外観体裁の低下を招かず、不注意により接触して落下させることも防止される簡易整理棚を提供する。【解決手段】この簡易整理棚は、背面板の表面に複数枚の垂直板を左右方向に隔てて設け、その垂直板の間に複数枚の棚板を前側が高く、後側が低くなるように傾斜させた状態で上下方向に隔てて設けて、各棚板の間に物品収納空間を形成して構成した。【選択図】      図１
0003108518.tif 000002
【実用新案登録請求の範囲】
【請求項１】
背面板の表面に複数枚の垂直板を左右方向に隔てて設け、その垂直板の間に複数枚の棚板を前側が高く、後側が低くなるように傾斜させた状態で上下方向に隔てて設けて、各棚板の間に物品収納空間を形成してなる簡易整理棚。
【請求項２】
垂直板の上端は、最上位の棚板に接続され、背面板は、最上位の棚板の上端部の高さよりも上方まで延長され、その背面板の上端部付近と前記最上位の棚板の上端部との間に下り傾斜する上面板が接続されていることを特徴とする請求項１に記載の簡易整理棚。
【請求項３】
背面板と上面板と最上位の棚板との間に左右方向に貫通する物品収納空間を形成したことを特徴とする請求項２に記載の簡易整理棚。
【請求項４】
背面板の上端部にハンガー貫通用孔が形成されていることを特徴とする請求項１に記載の簡易整理棚。
【請求項５】
背面板、垂直板及び棚板はいずれも帆布で形成されていることを特徴とする請求項１，２，３又は４に記載の簡易整理棚。
【請求項６】
棚板の周囲又は垂直板と棚板の交差部に補強用ロッドが挿入されていることを特徴とする請求項１，２，３，４，又は５に記載の簡易整理棚。
【考案の詳細な説明】
【技術分野】
【０００１】
本考案は、簡易整理棚に関する。
【背景技術】
【０００２】
室内に普段用いる小物が雑然と床や食卓や家具の上に放置されると、見苦しいばかりでなく、落下したり、歩行の邪魔になったりするので、これを防止するため、小物を収容する簡易整理棚が愛用されている。
従来の簡易整理棚は、十分な強さと、柔軟性を有する材料、例えば帆布で形成されていて、通常、背面板と、上下及び左右を仕切る仕切板とを有して、前方に開放する物品収納空間を有している。背面板の上端部にハンガー貫通用孔を設けて、壁又はドアに取り付けてあるハンガーに掛けることができるようにしたもの、又は、背面板の上端部に粘着テープを設けて、ハンガーロッドに粘着できるようにしたものが知られている。
【特許文献１】特になし。
【考案の開示】
【考案が解決しようとする課題】
【０００３】
しかしながら、従来の簡易整理棚は、棚板が水平に取り付けられていて、物品収納空間の底面がいずれも水平であるため、物品を収納するときは、ユーザができるだけ物品収納空間の奥に置かないと、物品が物品収納空間の開口から不揃い状態で突出して、外観体裁が悪くなり、あるいは、突出している物品に不注意により接触してこれを落下させて壊したりするという問題があった。
【０００４】
本考案は、上記の点に鑑みてなされたものである。すなわち、解決しようとする課題は、物品を収納するときに特に注意して収納しなくとも、自動的に適切な位置に収納されて、外観体裁の低下を招くことが無く、不注意により接触して落下させることも防止される簡易整理棚を提供することにある。
【課題を解決するための手段】
【０００５】
上記課題を解決するため、本考案による簡易整理棚は、背面板の表面に複数枚の垂直板を左右方向に隔てて設け、その垂直板の間に複数枚の棚板を前側が高く、後側が低くなるように傾斜させた状態で上下方向に隔てて設けて、各棚板の間に物品収納空間を形成してなることを特徴としている（請求項１）。
【０００６】
垂直板の上端は、最上位の棚板に接続され、背面板は、最上位の棚板の上端部の高さよりも上方まで延長され、その背面板の上端部付近と前記最上位の棚板の上端部との間に下り傾斜する上面板が接続することが望ましい（請求項２）。
【０００７】
背面板と上面板と最上位の棚板との間には左右方向に貫通する物品収納空間を形成していることが望ましい（請求項３）。
【０００８】
背面板の上端部にはハンガー貫通用孔が形成されていることが望ましい（請求項４）。
【０００９】
背面板、垂直板及び棚板はいずれも帆布で形成されていることが好ましい（請求項５）。
【００１０】
棚板の周囲又は垂直板と棚板の交差部には補強用ロッドが挿入されていることが望ましい（請求項６）。
【考案の効果】
【００１１】
請求項１の考案によれば、各棚板は前側が高く後側が低くなるように傾斜されていて 、物品収納空間の底面が奥側に下り傾斜しているので、収納される物品はどの位置に置かれても、自重で自動的に奥の方向に滑り、安定した状態で保持される。従って、物品の収納された状態が不揃いでも、外部に見えないから、外観体裁が悪くなることが無く、物品が前側に突出することが少なく、不注意で接触して落下させることもない。
【００１２】
請求項２の考案によれば、上面板が背面板の上端部付近と最上位の棚板との間を接続しているので、垂直板の保持強度が大きい。また、前側に下り傾斜する上面板が設けてあるので、埃などが最上位の物品収納空間に侵入して貯まることが防止される。
【００１３】
請求項３の考案によれば、上面板の下側に左右両側から物品の出し入れができるもう一つの物品収納空間を増やすことができる。
【００１４】
請求項４の考案によれば、背面板を壁やドアのハンガーに掛けて、簡易整理棚を吊すことができる。
【００１５】
請求項５の考案によれば、軽量化を図ることができ、壁掛け又はドア掛けに適する簡易整理棚を作ることができる。
【００１６】
請求項６の考案によれば、収納される物品の重さに耐える強度を有する簡易整理棚とすることができる。
【考案を実施するための最良の形態】
【００１７】
次に、本考案の実施の形態について、図面に基づいて説明する。
図１は、本考案の一実施例の斜視図、図２は同じく縦断面図、図３は図２の棚板の一部の拡大図、図４は本考案に係る簡易整理棚の使用状態を示す斜視図、図５は改良例を示す斜視図、図６はさらに他の改良例を示す斜視図である。
【００１８】
図において１は本考案に係る簡易整理棚の背面側に設けられる背面板であり、十分な強さと柔軟性と軽量さを備えた材料、例えば帆布で作られている。その背面板１の表面に複数枚の垂直板１３が左右方向に平行に隔てて設けられ、隣接する垂直板の間に縦方向に隔てられた複数枚の棚板１４が設けられて各棚板の間に物品収納空間１５が形成されている。いずれの棚板１４も前側が高く、後側が低くなるように傾斜された状態で配置され、垂直板に結合されている。とくに限定されないが、最良の傾斜角度は４５度である。棚板は左右方向の全長が一枚板状に連続してもよいし、凹凸状又は階段状になっていてもよい。横一枚の棚板を用いる場合は、各垂直板と交差して接続される。こうして、各物品収納空間１５の底面は後方向に傾斜しているので、物品を収納するときは、物品収納空間の底面の手前側に置いてもしなくとも、自重で物品収納空間１５の底部まで滑り、安定した状態で止まり保持される。従って、物品のサイズを問わず、物品の一端は物品収納空間１５の底部側に揃うので、他端が不揃いであっても収納空間の開口側からは見えないので、簡易整理棚の正面側の外観体裁が損なわれることがない。
【００１９】
棚板１４には、その周囲又は中間位置に補強用ロッド１４１が設けられることが望ましい。垂直板１３と棚板１４の交差部にロッド１４１を備えてもよい。これにより、棚板に、収納される物品の重さに耐え得る強度が備えられる。
【００２０】
背面板１は、最上位の棚板の上端部よりも上方に延長されて、その延長部分に吊り部１１が形成され、その吊り部にハンガー貫通用孔１１１が形成されている。これにより、図４に示すように、壁又はドア２に設けてあるハンガー３に掛けて吊すことができるようになっている。
【００２１】
好ましい実施例では、背面板１の上端部付近、すなわち、ハンガー貫通用孔の直ぐ下の部分と最上位の棚板の上端部との間に上面板１２が結合されている。これにより、各垂直板の支持強度が補強されている。そして、背面板１と最上位の棚板と上面板との間に左右方向に貫通する断面三角形の空間１６が形成されている。従って、この空間にも、物品を収納することができる。そして、上面板１２は前側に下り傾斜しているので、その下方に存在する物品収納空間に塵埃などが侵入して溜まることが防止される。上面板１２に絵を描き、又は絵や写真などを貼って室内装飾性を高めたり、カレンダーを掛けるなどの実用に供することができる。
【００２２】
図５に示すように、垂直板１３と棚板１４の交差する箇所に背面板１まで貫通する孔１７を設け、その孔にロッド１８を挿通することが望ましい。これにより、簡易整理棚の総体的強度を増すことができる。
【００２３】
本考案に係る簡易整理棚は、図６に示すような床置き式物置装置と組み合わせて使用することもできる。この物置装置は、例えば帆布などの軟質材料で作られた収容袋５を含む。各隅には縦方向の中空パイプ５１が設けられ、そのパイプにロッド６を挿入して高さ方向に延長することができるものである。従って、この床置き式物置装置の袋に本考案に係る簡易整理棚の下部を挿入することにより、もっと多い物品を収納することができる。
【図面の簡単な説明】
【００２４】
【図１】本考案の一実施例の斜視図。
【図２】同じく縦断面図。
【図３】図２の棚板の一部の拡大図。
【図４】本考案に係る簡易整理棚の使用状態を示す斜視図。
【図５】改良例を示す斜視図。
【図６】さらに他の改良例を示す斜視図。
【符号の説明】
【００２５】
１      背面板
１１    吊り部
１１１  ハンガー貫通用孔
１２    上面板
１３    垂直板
１４    棚板
１４１  補強ロッド
１５    物品収納空間
１６    空間
１７    孔
１８    ロッド
２      壁又はドア
【図１】
0003108518.tif 000003
【図２】
0003108518.tif 000004
【図３】
0003108518.tif 000005
【図４】
0003108518.tif 000006
【図５】
0003108518.tif 000007
【図６】
0003108518.tif 000008